(57)【要約】      （修正有）【課題】コンピュータシステムの螺子を使用することなしにケースを固定する装置を提出する。【解決手段】ボタンと、第１の突出部と、第１の突出部に嵌めた第１のバネとを有するボタン装置と、ノブと、第２の突出部と、第２のバネとを有し、ノブと第２の突出部がボタン装置の第１の突出部に嵌め、ケースをロック又はアンロックするようにノブとボタン装置が結合することを特徴とするノブ装置と、第１と第２の突出部を孔の中に固定し該第１と第２の突出部を孔の中に回られるようにする孔を有し、ケースから延びた固定機構と、第１の突出部とノブ装置の第２の突出部に孔により嵌め、ケースをロック又はアンロックしそして固定機構とともにノブ装置の回る範囲を制限するようにする第１の固定片と、第１の突出部と第２の突出部に孔により嵌め、ボタン装置をロック又アンロックするようにする一つの突縁を有する第２の固定片とを備えるケース固定装置を提出する。【選択図】図１
2007172489.tif 000002
【特許請求の範囲】
【請求項１】
ボタンと、該ボタンを突出した第１の突出部と、該第１の突出部に嵌めた第１のバネとを有するボタン装置と、
ノブと、該ノブを突出した第２の突出部と、該ノブの内に設置した第２のバネとを有し、該ノブと該第２の突出部が該ボタン装置の該第１の突出部に嵌め、ケースをロック又はアンロックするように該ノブと該ボタン装置が結合することを特徴とするノブ装置と、
該ケースを突き出した該第１と第２の突出部を孔の中に固定し該第１と第２の突出部を孔の中に回られるようにする孔を有し、該ケースから延びた固定機構と、
該ボタン装置の該第１の突出部と該ノブ装置の該第２の突出部に孔により嵌め、該ケースをロック又はアンロックしそして該固定機構とともに該ノブ装置の回る範囲を制限するようにする複数の突縁を有する第１の固定片と、
該ボタン装置の該第１の突出部と該ノブ装置の該第２の突出部に孔により嵌め、該ボタン装置をロック又はアンロックするようにする一つの突縁を有する第２の固定片と、
を備えるケース固定装置。
【請求項２】
前記ボタン装置の該第１の突出部が同じ長さの延伸アームを二つ有し、それぞれの延伸アームの前端がスリットを有し、そのスリットが該第２の固定片を持ち該第２の固定片と該ボタン装置を共に動かせるようにし、
前記ノブ装置の該第２の突出部が該ノブから延びた長い位置決め腕と短い位置決め腕を有し、その短い位置決め腕の端末に及びその長い位置決め腕の短い位置決め腕の長さほどのところに別々に鉤が設置され、該短い位置決め腕と該長い位置決め腕が該固定機構と該第１の固定片を貫きその鉤と該第２のバネにより該第１の固定片を該固定機構に繋ぎ、該長い位置決め腕が該第２の固定片に伸び該第２の固定片と該ノブ装置を共に動かせるようにし、
前記固定機構が第１の凹み、第２の凹み、第１のブロック及び第２のブロックを有し、その凹みが該第２の固定片と組み合い、それぞれのブロックが凸部を有し、その凸部が該第１の固定片の移動を止めるようにし、
前記ケース固定装置が更に該ケースに固定された第３のブロックを有し、その第３のブロックが該第２の固定片にブロックされ移動されることにより該ケースをロック又はアンロックするようにし、
該第１の固定片の複数の突縁が、該第３のブロックとともに該ケースをロック又はアンロックする第１のロック突縁と、該ノブ装置を制限し該第１のブロックと第２のブロックの間に移動させるようにする位置決め突縁と、を有し、
前記第２の固定片が第２のロック突縁を有し、その第２のロック突縁が該固定機構のその凹みと組み合い又は分離することにより該ボタン装置を押された状態又は回復状態に維持させる、
ことを特徴とする請求項１に記載のケース固定装置。
【請求項３】
前記ボタン装置が押されない状態になり該ノブ装置が回らない原始状態になる時、該第２の固定片の該第２のロック突縁が該固定機構の該第１の凹みと組み合い、そして該第１の固定片の該第１のロック突縁が該第３のブロックをブロックし、該第１の固定片の該位置決め突縁が該固定機構の該第１のブロックと接触し、該第１の固定片が該固定機構にぴったりと付き、該第２の固定片が該第１の固定片にぴったりと付くことにより該ケースをロックする、
ことを特徴とする請求項２に記載のケース固定装置。
【請求項４】
前記ボタン装置の該ボタンが押された時、該第１の突出部が該ケースの内に移動し且つその延伸アームの該スリットに持たれた該第２の固定片が該第１の凹みから脱出し該第２の固定片と該第１の固定片との間に距離を形成し、該第１の固定片の該位置決め突縁が該固定機構の該第２のブロックと接触するほどに該ノブ装置が回れ、その時該第２の固定片の該第２のロック突縁が該第１のバネの弾力により該第２の凹みと組み合われ、該第２の固定片が該第１の固定片にぴったりと付き、そして該ボタン装置の該ボタンが回復し該第１のロック突縁が該第３のブロックから離れ、該ケースをアンロックする、
ことを特徴とする請求項２に記載のケース固定装置。
【請求項５】
前記ケースがアンロックされた時、前記ボタン装置の該ボタンが押され該第１の突出部が該ケースの内に移動し且つその延伸アームの該スリットに持たれた該第２の固定片が該第２の凹みから脱出し該第２の固定片と該第１の固定片との間に距離を形成し、該第１の固定片の該位置決め突縁が該固定機構の該第１のブロックと接触するほどに該ノブ装置が逆回れ、その時該第２の固定片の該第２のロック突縁が該第１のバネの弾力により該第１の凹みと組み合われ、該第２の固定片が該第１の固定片にぴったりと付き、そして該ボタン装置の該ボタンが回復し該第１のロック突縁が該第３のブロックをブロックし、該ケースをロックする、
ことを特徴とする請求項２に記載のケース固定装置。
【発明の詳細な説明】
【技術分野】
【０００１】
本発明はケース固定装置に関し、特にコンピュータシステム機器に適用するケース固定装置に関する。
【背景技術】
【０００２】
伝統のケースはコンピュータの構成部品を包んで螺子によりコンピュータシステム機器に固定される。それは簡単な原始のケース固定方法であり、組み立て、テスト、又はハードウェアの誤り検出修正を実施する時、複数の螺子をそのケースから分離し又はその後ケースに組み立てることをしなければならない。時間もかかるし、不注意で螺子をなくすこともある。そうならば、数の足りない螺子で固定方式が完備せず、モーターが動く震動により雑音もするし、ほこり、異物又は水気がケースの隙間からコンピュータシステムに入る可能性もある。その上、螺子が錆びるならば工具を使ってもケースから分離することはできない。
【０００３】
もう一つの伝統的なケース固定装置は螺子を使用することなしに螺子をケースに組み立てるものである。しかしながら、そのケースがあまりぴったりと固定され得ないので、しばしば不注意なコンタクト又は児童の悪戯により結合部が外れて、ケースの中にあるコンピュータシステムの構成部品に損害を与える恐れがある。
【発明の開示】
【発明が解決しようとする課題】
【０００４】
本発明はコンピュータシステム機器に適用する、安くて便利で簡単なケース固定装置を提供する。このケース固定装置は螺子を使用することなしに、組み立て、ソフトウェアテスト、又はハードウェアの誤り検出修正と取替えをスムーズに実施できることを目的とする。
【課題を解決するための手段】
【０００５】
上記目的を達成するための本発明に係るケース固定装置は、
ボタンと、該ボタンを突出した第１の突出部と、該第１の突出部に嵌めた第１のバネとを有するボタン装置と、
ノブと、該ノブを突出した第２の突出部と、該ノブの内に設置した第２のバネとを有し、該ノブと該第２の突出部が該ボタン装置の該第１の突出部に嵌め、ケースをロック又はアンロックするように該ノブと該ボタン装置が結合することを特徴とするノブ装置と、
該ケースを突き出した該第１と第２の突出部を孔の中に固定し該第１と第２の突出部を孔の中に回られるようにする孔を有し、該ケースから延びた固定機構と、
該ボタン装置の該第１の突出部と該ノブ装置の該第２の突出部に孔により嵌め、該ケースをロック又はアンロックしそして該固定機構とともに該ノブ装置の回る範囲を制限するようにする複数の突縁を有する第１の固定片と、
該ボタン装置の該第１の突出部と該ノブ装置の該第２の突出部に孔により嵌め、該ボタン装置をロック又はアンロックするようにする一つの突縁を有する第２の固定片と、を備える。
【０００６】
本発明の他の態様に係るケース固定装置は、
前記ボタン装置の該第１の突出部が同じ長さの延伸アームを二つ有し、それぞれの延伸アームの前端がスリットを有し、そのスリットが該第２の固定片を持ち該第２の固定片と該ボタン装置を共に動かせるようにし、
前記ノブ装置の該第２の突出部が該ノブから延びた長い位置決め腕と短い位置決め腕を有し、その短い位置決め腕の端末に及びその長い位置決め腕の短い位置決め腕の長さほどのところに別々に鉤が設置され、該短い位置決め腕と該長い位置決め腕が該固定機構と該第１の固定片を貫きその鉤と該第２のバネにより該第１の固定片を該固定機構に繋ぎ、該長い位置決め腕が該第２の固定片に伸び該第２の固定片と該ノブ装置を共に動かせるようにし、
前記固定機構が第１の凹み、第２の凹み、第１のブロック及び第２のブロックを有し、その凹みが該第２の固定片と組み合い、それぞれのブロックが凸部を有し、その凸部が該第１の固定片の移動を止めるようにし、
前記ケース固定装置が更に該ケースに固定された第３のブロックを有し、その第３のブロックが該第２の固定片にブロックされ移動されることにより該ケースをロック又はアンロックするようにし、
前記第１の固定片の複数の突縁が、該第３のブロックとともに該ケースをロック又はアンロックする第１のロック突縁と、該ノブ装置を制限し該第１のブロックと第２のブロックの間に移動させるようにする位置決め突縁と、を有し、
前記第２の固定片が第２のロック突縁を有し、その第２のロック突縁が該固定機構のその凹みと組み合い又は分離することにより該ボタン装置を押された状態又は回復状態に維持させる、ことを特徴とする。
【０００７】
本発明の他の態様に係るケース固定装置は、前記ボタン装置が押されない状態になり該ノブ装置が回らない原始状態になる時、該第２の固定片の該第２のロック突縁が該固定機構の該第１の凹みと組み合い、そして該第１の固定片の該第１のロック突縁が該第３のブロックをブロックし、該第１の固定片の該位置決め突縁が該固定機構の該第１のブロックと接触し、該第１の固定片が該固定機構にぴったりと付き、該第２の固定片が該第１の固定片にぴったりと付くことにより該ケースをロックする、ことを特徴とする前記ケース固定装置に関する。
【０００８】
本発明の他の態様に係るケース固定装置は、前記ボタン装置の該ボタンが押された時、該第１の突出部が該ケースの内に移動し且つその延伸アームの該スリットに持たれた該第２の固定片が該第１の凹みから脱出し該第２の固定片と該第１の固定片との間に距離を形成し、該第１の固定片の該位置決め突縁が該固定機構の該第２のブロックと接触するほどに該ノブ装置が回れ、その時該第２の固定片の該第２のロック突縁が該第１のバネの弾力により該第２の凹みと組み合われ、該第２の固定片が該第１の固定片にぴったりと付き、そして該ボタン装置の該ボタンが回復し該第１のロック突縁が該第３のブロックから離れ、該ケースをアンロックする、ことを特徴とする前記ケース固定装置に関する。
【０００９】
本発明の他の態様に係るケース固定装置は、前記ケースがアンロックされた時、前記ボタン装置の該ボタンが押され該第１の突出部が該ケースの内に移動し且つその延伸アームの該スリットに持たれた該第２の固定片が該第２の凹みから脱出し該第２の固定片と該第１の固定片との間に距離を形成し、該第１の固定片の該位置決め突縁が該固定機構の該第１のブロックと接触するほどに該ノブ装置が逆回れ、その時該第２の固定片の該第２のロック突縁が該第１のバネの弾力により該第１の凹みと組み合われ、該第２の固定片が該第１の固定片にぴったりと付き、そして該ボタン装置の該ボタンが回復し該第１のロック突縁が該第３のブロックをブロックし、該ケースをロックする、ことを特徴とする前記ケース固定装置に関する。
【発明の効果】
【００１０】
以上のように構成されたこの発明は次のような優れた効果を有している。
本発明はコンピュータシステムに応用する、安くて便利で穏やかなケース固定装置を提出する。このケース固定装置はボタン及びノブの同時の作動する機能をもってコンピュータシステムのケースをロック又はアンロックするようになる。例え螺子固定などの伝統固定方法に比べて、本案のケース固定装置が螺子を使用することなしに、組み合い、ソフトウェアテスト、又はハードウェアの誤り検出修正と取替えを順調に実施できる効果がある。
【発明を実施するための最良の形態】
【００１１】
以下、本発明の実施の形態について、図面を参照しながら説明する。
図1はコンピュータシステムに応用する本発明を表示した図である。図１におけるケース固定装置１はボタン装置１０、ノブ装置２０、固定機構３０、第１の固定片４０、第２の固定片５０及びケースに固定されたブロック６０から成る。ボタン装置１０がノブ装置２０を突き出し、そしてボタン装置１０とノブ装置２０が順次に下ケース７０、固定機構３０、第１の固定片４０及び第２の固定片５０を突き出し、最後にボタン装置１０とノブ装置２０との合併操作により上ケース７１をロック又はアンロックする固定装置にかかる。
【００１２】
ボタン装置１０は一体化の円いボタン１１及び第１の突出部１３を含む。第１のバネ１２は第１の突出部１３に嵌める。第１の突出部１３は円いボタン１１から延びた、細長い円柱の突出部である。第１の突出部１３は前端が二つの平たい延伸アーム１４、１５に分ける。それらの延伸アーム１４、１５は同じ長さを有し、それぞれの延伸アームの前端が第２の固定片５０を持つために設置されるスリット１６を有する。円いボタン１１が押される又は回復すると、第２の固定片５０はボタン装置１０と一緒に動くことができる。
【００１３】
ノブ装置２０は一体化の水滴状ノブ２１及び第２の突出部２３を含む。ノブ２１と第２の突出部２３はボタン装置１０の円いボタン１１及び第１の突出部１３に嵌める。更に第２のバネ２２はノブ２１の内に設置される。第２の突出部２３はノブ２１から延びた、円柱の突出部である。第２の突出部２３は前端が長い位置決め腕２４及び短い位置決め腕２５を有する。その短い位置決め腕２５の端末に及びその長い位置決め腕２４の短い位置決め腕の長さほどのところに別々に鉤２６、２７が設置される。長い位置決め腕２４と短い位置決め腕２５は鉤２６、２７を含む部分が固定機構３０と第１の固定片４０を貫き、鉤２６、２７及び第２のバネ２２の引き出す、下ケース７０に向く弾力により第１の固定片４０を固定機構３０にぴったりに付かせ、そして第１の固定片４０をノブ２１の回りにつれて固定機構３０に付いて回らせる。長い位置決め腕２４は更に第２の固定片５０の中に伸び、第２の固定片５０とノブ装置２０を共に動かせるようにする。
【００１４】
固定機構３０は下ケース７０から伸びた、中央が孔を有する結構である。第１の突出部１３と第２の突出部２３は皆その孔を突き出す。固定機構３０は第１の突出部１３と第２の突出部２３をその孔に回らせるのみならず、ノブ装置２０とボタン装置１０がその内に固定され支えられる機能を与える。
【００１５】
固定機構３０はもう一つの機能が第１の固定片４０と第２の固定片５０と協力しノブ装置２０の回り範囲を制限すること、及びボタン装置１０をロック（ボタン１１が回復する）又はアンロック（ボタン１１が押される）することである。固定機構３０の縁に沿い第１の凹み３１、第２の凹み３２、第１のブロック３３及び第２のブロック３４を設置する。それらの凹み３１、３２は固定機構３０の両側に設置される。第２の固定片５０がそれらの凹みと組み合う時、ボタン装置１０がロックする状態（ボタン１１が回復する）になり、それらのブロック３３、３４が固定機構３０の円弧状の縁の両側にありそしてそれぞれの先端に第１の固定片４０の移動を止めるための凸部を有する。第１の固定片４０がノブ装置２０と共に動くので、ノブ装置２０は故に制限され固定機構３０の第１のブロック３３と第２のブロック３４の間だけに移動できる。
【００１６】
第１の固定片４０は中央が孔を有し、孔の両側に向いて一部をボーリングし第１の突出部１３と第２の突出部２３を突き出させることができる。第１の固定片４０に第１のロック突縁４１及び位置決め突縁４２が設置される。第１のロック突縁４１は上ケース７１にある第３のブロック６０をブロックし、上ケース７１がロック又はアンロックされるようにする。位置決め突縁４２は第１のブロック３３と第２のブロック３４の間に移動するのを制限する。
【００１７】
第２の固定片５０は長方形の孔を有し、ボタン装置１０の第１の突出部１３及びノブ装置２０の第２の突出部２３に嵌めて設置される。第２の固定片５０は第２のロック突縁４２を有する。その第２のロック突縁４２は第２の固定片５０が固定機構３０の凹み３１、３２と組み合う部分である。
【００１８】
（１）第１ケースロック状態
図２はコンピュータシステムに応用する本発明の第１ケースロック状態を表示した図である。図２は下ケース７０の外から内に向いて見るものである。図１と図２を同時に参考し本案の特徴が次のように述べてある。ボタン装置２０が押されない状態になる時、水滴状のノブ２１の先端が右に向き、第２の固定片５０の第２のロック突縁５１が固定機構３０の第１の凹み３１と組み合うようになる。そして、第１の固定片４０の第１のロック突縁４１が第３のブロック６０をブロックし、且つ第１の固定片４０の位置決め突縁４２が固定機構３０の第１のブロック３３と接触するようになる。第１の固定片４０が固定機構３０にぴったりと付き、第２の固定片５０が第１の固定片４０にぴったりと付き、該ケースがロックされる状態になる。
【００１９】
（２）第２ケースロック状態
図３はコンピュータシステムに応用する本発明の第２ケースロック状態を表示した図である。図１と図３を同時に参考し本案の特徴が次のように述べてある。前記状態に続いて、ボタン装置１０の円いボタン１１が押された時、第１の突出部１３が下ケース７０の内に移動し且つそれらの延伸アーム１４、１５のスリット１６に持たれた第２の固定片５０が第１の凹み３１から脱出する。すると、第２の固定片５０と第１の固定片４０との間に距離を形成し両者が開放状態になる。
【００２０】
（３）第１ケースアンロック状態
図４はコンピュータシステムに応用する本発明の第１ケースアンロック状態を表示した図である。図１と図４を同時に参考し本案の特徴が次のように述べてある。前記の作動に続いて、ボタン装置１０の円いボタン１１が押されて同時にノブ装置２０が逆回られる。第２の固定片５０の第２のロック突縁５１が第１の凹みから脱出するやいなや、第２のロック突縁５１の突縁が固定機構３０をブロックし、第２の固定片５０と固定機構３０の間に距離を形成させる。そうしたら、押されたボタン１１が押し付けることなしに押されている状態になり、そしてノブ装置２０をアンロック状態にする。この時ノブ装置２０は単独に操作されることができる。ノブ装置２０が回られて、ついに第１の固定片４０と第２の固定片５０も回られていく。第１の固定片４０の位置決め突縁４２が固定機構３０の第２のブロック３４と接触するように又は水滴状のノブ２１の先端が上に向くようになる。この時、押されている状態になる円いボタン１１がまだ回復しなくなっている。
【００２１】
（４）第２ケースアンロック状態
図５はコンピュータシステムに応用する本発明の第２ケースアンロック状態を表示した図である。図１と図５を同時に参考し本案の特徴が次のように述べてある。前記の作動に続いて、第２の固定片５０の第２のロック突縁５１が第１のバネ１２の弾力により第２の凹み３２と組み合われ、第２の固定片５０が第１の固定片４０にぴったりと付き、そしてボタン装置１０の円いボタン１１が回復し第１のロック突縁４１が第３のブロック６０から離れる。ついに該ケースがアンロックされるようになる。
【００２２】
該ケース固定装置が第２ケースアンロック状態になる時、逆の操作方法で先の第１ケースロック状態に戻られる。まず、ボタン装置１０のボタン１１が押されて、第１の突出部１３がついに下ケース７０の内に移動し、且つそれらの延伸アーム１４、１５のスリット１６に持たれた第２の固定片５０が第２の凹み３２から脱出する。すると、第２の固定片５０と第１の固定片４０の間に距離を形成し両者が開放状態になる。つぎ、第１の固定片４０の位置決め突縁４２が固定機構３０の第１のブロック３３と接触するほどにノブ装置２０が逆回られ、この時第２の固定片５０の第２のロック突縁５１が第１のバネ１２の弾力により第１の凹み３１と組み合われるようになる。そして、第２の固定片５０が第１の固定片４０にぴったりと付き、ボタン装置１０のボタン１１が回復し第１のロック突縁４１が第３のブロック６０をブロックし、該ケースがロックされるようになる。
【図面の簡単な説明】
【００２３】
【図１】コンピュータシステム機器に適用する本発明を表示した図
【図２】コンピュータシステム機器に適用する本発明の第１ケースロック状態を表示した図
【図３】コンピュータシステム機器に適用する本発明の第２ケースロック状態を表示した図
【図４】コンピュータシステム機器に適用する本発明の第１ケースアンロック状態を表示した図
【図５】コンピュータシステム機器に適用する本発明の第２ケースアンロック状態を表示した図
【符号の説明】
【００２４】
１      ケース固定装置
１０    ボタン装置
１１    円いボタン
１２    第１のバネ
１３    第1の突出部
１４    延伸アーム
１５    延伸アーム
１６    スリット
２０    ノブ装置
２１    ノブ
２２    第２のバネ
２３    第２の突出部
２４    長い位置決め腕
２５    短い位置決め腕
２６    鉤
２７    鉤
３０    固定機構
３１    第1の凹み
３２    第２の凹み
３３    第１のブロック
３４    第２のブロック
４０    第１の固定片
４１    第１のロック突縁
４２    位置決め突縁
５０    第２の固定片
５１    第２のロック突縁
６０    第３のブロック
７０    下ケース
７１    上ケース
【図１】
2007172489.tif 000003
【図２】
2007172489.tif 000004
【図３】
2007172489.tif 000005
【図４】
2007172489.tif 000006
【図５】
2007172489.tif 000007